(57)【要約】      （修正有）【課題】薬液を無駄に消費することなく、洗浄消毒を適切に実施できる薬液供給装置及び血液浄化システムを提供する。【解決手段】薬液供給装置２は、複数の血液浄化装置の配管内に対して、洗浄及び消毒の少なくとも一方を行う洗浄消毒処理を実行するため、複数の血液浄化装置に薬液を送液する薬液送液部２３と、複数の血液浄化装置と通信する通信部２５と、通信部が複数の血液浄化装置と通信することによって、複数の血液浄化装置のうち最後の血液浄化装置の洗浄消毒処理が終了して複数の血液浄化装置の洗浄消毒処理が完了する完了時間を検出する検出部と、を備える。【選択図】図２
2020192288.tif 000002
【特許請求の範囲】
【請求項１】
複数の血液浄化装置の配管内に対して、洗浄及び消毒の少なくとも一方を行う洗浄消毒処理を実行するため、当該複数の当該血液浄化装置に薬液を送液する薬液送液部と、
前記複数の血液浄化装置と通信する通信部と、
前記通信部が前記複数の血液浄化装置と通信することによって、前記複数の血液浄化装置のうち最後の血液浄化装置の前記洗浄消毒処理が終了して前記複数の血液浄化装置の洗浄消毒処理が完了する完了時間を検出する検出部と、
を備える、薬液供給装置。
【請求項２】
前記完了時間に応じて予め設定される工程時間に従って、前記薬液送液部を制御して前記複数の血液浄化装置に前記薬液を送液するように制御する制御部をさらに備える、
請求項１に記載の薬液供給装置。
【請求項３】
前記完了時間は、前記薬液が送液される前に用いられた清浄水が前記薬液に置換された時間と、予め定められた推定所要時間と、に応じて特定される、
請求項１又は２に記載の薬液供給装置。
【請求項４】
前記複数の血液浄化装置のそれぞれの前記完了時間とともに、前記完了時間から求められる前記工程時間の候補値を表示する表示制御手段をさらに備える、
請求項１乃至３のいずれか１項に記載の薬液供給装置。
【請求項５】
前記制御部は、前記複数の血液浄化装置のそれぞれの前記完了時間に応じて前記工程時間を更新する、
請求項１乃至４のいずれか１項に記載の薬液供給装置。
【請求項６】
前記制御部は、前記複数の血液浄化装置の全てにおいて前記洗浄消毒処理が完了したときに、前記薬液送液部による前記薬液の送液を停止するように制御する、
請求項１乃至５のいずれか１項に記載の薬液供給装置。
【請求項７】
前記薬液に加えて、透析液を送液する請求項１乃至６の何れか１項に記載の薬液供給装置と、
前記薬液供給装置から送液された透析液を用いて、患者に血液浄化治療を施す複数の血液浄化装置と、を備える、
血液浄化システム。
【発明の詳細な説明】
【技術分野】
【０００１】
本発明は、薬液供給装置及び血液浄化システムに関する。
【背景技術】
【０００２】
透析の治療に用いる透析治療用セントラルシステム（以下、「血液浄化システム」ともいう。）において、透析液を調製し各透析用監視装置（以下、「透析装置」ともいう。）に供給する透析液供給装置が用いられている。また、透析液供給装置は、透析装置の各々が自装置の洗浄及び消毒を行うための薬液を調製して各透析装置に供給する（例えば、特許文献１、２参照）。
【先行技術文献】
【特許文献】
【０００３】
【特許文献１】特許第５４８３７４１号公報
【特許文献２】特許第５３４１１３７号公報
【発明の概要】
【発明が解決しようとする課題】
【０００４】
洗消工程の工程時間をユーザが設定し、設定の工程時間に従って、薬液の送液制御を行っていた。実際の完了時間より長い工程時間に設定してしまうと、薬液を必要以上に消費してしまう。逆に、実際の完了時間より短い工程時間に設定しまうと、洗浄消毒が不十分となる。
【０００５】
そこで、本発明は、薬液を無駄に消費することなく、洗浄消毒を適切に実施できる薬液供給装置及び血液浄化システムを提供することを目的とする。
【課題を解決するための手段】
【０００６】
本発明の一実施の態様による薬液供給装置は、複数の血液浄化装置の配管内に対して、洗浄及び消毒の少なくとも一方を行う洗浄消毒処理を実行するため、当該複数の当該血液浄化装置に薬液を送液する薬液送液部と、前記複数の血液浄化装置と通信する通信部と、前記通信部が前記複数の血液浄化装置と通信することによって、前記複数の血液浄化装置のうち最後の血液浄化装置の前記洗浄消毒処理が終了して前記複数の血液浄化装置の洗浄消毒処理が完了する完了時間を検出する検出部と、を備える。
【０００７】
また、本発明の他の実施の態様による血液浄化システムは、前記薬液に加えて、透析液を送液する上述の薬液供給装置と、前記薬液供給装置から送液された透析液を用いて、患者に血液浄化治療を施す複数の血液浄化装置と、を備える。
【発明の効果】
【０００８】
本発明によれば、薬液を無駄に消費することなく、洗浄消毒を適切に実施できる薬液供給装置及び血液浄化システムを提供する薬液供給装置及び血液浄化システムを提供できる。
【図面の簡単な説明】
【０００９】
【図１】本発明の第１の実施の形態に係る血液浄化システムの一例を示す概略構成図である。
【図２】図１に示す透析液供給装置の制御系の一例を示すブロック図である。
【図３】図１に示す透析用監視装置の制御系の一例を示すブロック図である。
【図４】洗浄及び消毒の工程の一例を示すフローチャートである。
【図５】図１に示す血液浄化システムの動作の一例を示すシーケンス図であり、（ａ）は、透析液供給装置の動作の一例を示す図であり、（ｂ）は、一の透析装置の動作の一例を示す図であり、（ｃ）は、他の透析装置の動作の一例を示す図である。
【図６】図１に示す血液浄化システムの動作の一例を示すシーケンス図であり、（ａ）は、透析液供給装置の動作の一例を示す図であり、（ｂ）は、一の透析装置の動作の一例を示す図である。
【図７】洗消記録画面の一例を示す図である。
【図８】本発明の第２の実施の形態に係る血液浄化システムの一例を示す概略構成図である。
【発明を実施するための形態】
【００１０】
［第１の実施の形態］
以下、本発明の第１の実施の形態を図１〜７にしたがって説明する。
（血液浄化システム）
図１は、本発明の第１の実施の形態に係る血液浄化システムの一例を示す概略構成図である。図１に示すように、血液浄化システム１は、患者に透析治療を施すための複数の、血液浄化用装置の一例としての透析用監視装置（以下、「透析装置」ともいう。）３と、患者の血液浄化に用いられる血液浄化液としての透析液や透析装置の配管等の洗浄及び消毒に用いる薬液（以下、「洗消液」ともいう。）をそれぞれ調製して透析装置３に供給する、薬液供給装置の一例としての透析液供給装置２と、透析液供給装置２と各透析装置３との間で透析液や洗消液を搬送する供給ライン１０（図１の実線参照。）と、透析液供給装置２と各透析装置３とを通信可能に接続する信号線１１（図１の破線参照。）と、を備えている。洗消液は、薬液の一例である。
【００１１】
透析液供給装置２は、供給された透析用水を用いて所定の濃度の透析液や洗消液を調製し、調製した透析液や洗消液を各透析装置３に供給する。透析液供給装置２で調製された透析液は、供給ライン１０を介して各透析装置３に供給される（図１の矢印参照）。
【００１２】
透析装置３は、患者に透析治療を施すための血液浄化器（ダイアライザ、不図示）に応じて複数台設置され、透析液供給装置２から供給された透析液を各血液浄化器に供給する。血液浄化器から排出された老廃物等を含んだ透析液は、図示しない排液流路へと排出されるようになっている。
【００１３】
本実施の形態に係る血液浄化システム１では、信号線１１を介して、透析液供給装置２と各透析装置３とが通信可能に構成されており、透析液供給装置２において、各透析装置３の稼働状況を検知できるようになっている。なお、透析液供給装置２と各透析装置３との間の通信形態は信号線１１を用いた有線通信に限定されず、例えば、無線通信であってもよい。
【００１４】
（透析液供給装置２）
図２は、図１に示す透析液供給装置２の制御系の一例を示すブロック図である。図２に示すように、透析液供給装置２は、各部を制御する制御部２０と、各種の情報を記憶する記憶部２１と、透析液や洗消液の調製を行う調製部２２と、調製された透析液や洗浄液を各透析装置３に送液する送液部２３と、情報の入力及び表示を行う操作表示部２４と、各透析装置３との間で信号線１１を介して通信を行う通信部２５と、備えている。調整部２２は、薬液調製部の一例である。送液部２３は、薬液送液部の一例である。
【００１５】
〔制御部２０〕
制御部２０は、ＣＰＵ等の演算素子、及びソフトウェアやインターフェイス等を適宜組み合わせて実現される。制御部２０は、ソフトウェア（不図示）に実装されたプログラムに従って動作することにより、受信手段２００、送信手段２０１、弁制御手段２０２、ポンプ制御手段２０３、表示制御手段２０４等として機能する。各手段２００〜２０４の詳細については後述する。
【００１６】
〔記憶部２１〕
記憶部２１は、ＲＯＭ（Read Only Memory）、ＲＡＭ（Random Access Memory）、ハードディスク等から構成され、システム構成情報２１０、洗消工程時間情報２１１、洗消完了時間情報２１２等の各種のデータを記憶する。
【００１７】
システム構成情報２１０は、血液浄化システム１の構成に関する情報である。システム構成情報２１０には、例えば、各透析装置３を特定するＩＤ等の識別情報や設定情報、透析装置３の配置情報等が含まれる。
【００１８】
洗消工程時間情報２１１は、透析液供給装置２が洗浄及び消毒の工程（以下、「洗浄消毒工程」又は単に「洗消工程」ともいう。）を継続する時間（以下、「洗消工程時間」又は単に「工程時間」ともいう。）を示す情報である。ここで、「洗消工程時間」は、例えば、透析液供給装置２が洗消液の送液を継続する時間（以下、「送液時間」ともいう。）として与えられる。また、洗消工程時間は、経験則等に基づいてユーザによって予め設定される固定値である。洗消完了時間情報２１２は、洗消工程が完了した時間を透析装置３ごとに記録した情報である。
【００１９】
〔調製部２２〕
調製部２２は、供給された透析用水で透析液原液を希釈し透析液を調製するとともに、供給された透析用水で洗消液原液を希釈し洗消液を調製する。調製部２２は、一端から透析用水が供給される送液ライン（不図示）を開閉することで透析用水の供給の有無を切替可能な給水弁２２０と、透析液を生成するための透析液原液を貯留する原液タンク４Ａから透析液原液を送液ラインに注入する原液注入ポンプ２２１と、洗消液原液を貯留する洗消液タンク４Ｂから洗消液原液を送液ラインに注入する洗消液注入ポンプ２２２と、を備えている。洗消液原液は、薬液原液の一例である。
【００２０】
給水弁２２０としては、例えば、電磁弁や電動弁等を用いることができる。原液注入ポンプ２２１及び洗消液注入ポンプ２２２としては、例えば、ピストンポンプを用いることができる。
【００２１】
なお、図２に示す例では、原液タンク４Ａ及び洗消液タンク４Ｂを透析液供給装置２の外部に設ける構成を例に挙げて説明しているが、原液タンク４Ａ及び洗消液タンク４Ｂはそれぞれ、透析液供給装置２の内部に設けられていてもよい。例えば、原液タンク４Ａ及び洗消液タンク４Ｂは、調製部２２の構成要素の一つとして設けてもよい。
【００２２】
原液は、１種類でもよく、２種類以上でもよい。例えば、原液は、Ａ原液及びＢ原液の２種類からなるものでもよい。この場合、原液ごとに２つの原液タンク４Ａ（すなわち、Ａ原液タンク及びＢ原液タンク）を設けてもよい。洗消液は、１種類でもよく、２種類以上でもよい。洗消液としては、例えば、酸洗浄液、過酢酸消毒液、次亜系消毒液等を用いてよい。
【００２３】
〔送液部２３〕
送液部２３は、調製部２２で調製した透析液や洗消液を貯留する貯槽２３０と、貯槽２３０内の透析液や洗消液を送液する送液ポンプ２３１と、を有している。貯槽２３０には、送液ラインが接続されており、この送液ラインから透析液や洗消液が供給されるようになっている。
【００２４】
送液ポンプ２３１は、供給ライン１０に設けられている。送液ポンプ２３１としては、例えば、遠心ポンプを用いることができる。
【００２５】
〔操作表示部２４及び通信部２５〕
操作表示部２４は、例えば、タッチパネルディスプレイであり、液晶ディスプレイ等のディスプレイにタッチパネルを重合配置した構成を有する。また、操作表示部２４は、タッチパネルディスプレイに限られず、透析液供給装置２の外部に設けられた端末装置（不図示）のディスプレイでもよい。通信部２５は、信号線１１を介して透析装置３との間で信号を送受信する。
【００２６】
〔制御部２０の各手段２００〜２０４〕
次に、制御部２０を構成する各手段２００〜２０４の詳細について説明する。受信手段２００は、通信部２５を制御して信号線１１を介して透析装置３から送信された各種の情報を受信する。送信手段２０１は、透析装置３に対し、信号線１１を介して透析装置３を制御するための制御信号等の情報を送信する。
【００２７】
弁制御手段２０２は、給水弁２２０の開閉を制御する。給水弁２２０が閉じられると、透析用水の供給量がゼロとなり、これに応じて原液の注入量もゼロとなり、透析液や洗消液の調製（あるいは、透析液や洗消液の希釈）が停止されるようになっている。つまり、弁制御手段２０２は、給水弁２２０の開閉により、透析液や洗消液の調製の有無を制御する。
【００２８】
ポンプ制御手段２０３は、透析液供給装置２内の各種のポンプ、すなわち、原液注入ポンプ２２１、洗消液注入ポンプ２２２及び送液ポンプ２３１を制御する。具体的には、ポンプ制御手段２０３は、透析用水の供給量に応じて透析液原液の注入量（すなわち、原液注入ポンプ２２１の吐出量）を制御することで、透析液を所定の濃度に調整する。また、ポンプ制御手段２０３は、透析用水の供給量に応じて洗消液原液の注入量（すなわち、洗消液注入ポンプ２２２の吐出量）を制御することで、洗消液を所定の濃度に調整する。なお、事前に薬液を注入する処理であってもよい。
【００２９】
表示制御手段２０４は、例えば、洗消記録画面５（図７参照）等の表示画面を操作表示部２４に表示するよう制御する。
【００３０】
（透析装置３）
図３は、透析装置３の制御系の一例を示すブロック図である。図３に示すように、透析装置３は、各部を制御する制御部３０と、各種の情報を記憶する記憶部３１と、透析液及び薬液の検知を行うセンサ部３２と、情報の入力及び表示を行う操作表示部３４と、透析液供給装置２との間で信号線１１を介して通信を行う通信部３５と、備えている。センサ部３２は、検出部の一例である。
【００３１】
透析装置３の操作表示部３４及び通信部３５は、上述した透析液供給装置２の操作表示部２４及び通信部２５と実質的に同一の機能を有するものであるため、詳細な説明は省略する。
【００３２】
〔制御部３０〕
透析装置３の制御部３０は、受信手段３００、送信手段３０１、検知手段３０２等として機能する。各手段３００〜３０２の詳細については後述する。
【００３３】
〔記憶部３１〕
透析装置３の記憶部３１は、洗消時間推定情報３１０等のデータを記憶する。洗消時間推定情報３１０は、基準となる時間（以下、単に「基準時間」ともいう。）から洗消工程が完了するまでに要すると推定される時間（以下、「推定洗消所要時間」ともいう。）を示すパラメータ情報である。洗消時間推定情報３１０は、ユーザの操作によって経験則等に基づいて予め設定される固定値である。洗消時間推定情報３１０は、例えば、時間として与えられてもよく、洗消液の容量として与えられてもよい。
【００３４】
具体的には、洗消工程が完了する時間（以下、「洗消完了時間」ともいう。）は、基準時間と、洗消時間推定情報３１０として記録された情報とに応じて特定される。より具体的には、洗消完了時間は、基準時間から、洗消時間推定情報３１０として記憶部３１に記憶された、予め定められた時間が経過したときの時間としててもよい。あるいは、洗消完了時間は、基準時間から、洗消時間推定情報３１０として記憶部３１に記憶された、予め定められた容量の洗消液が透析装置３に送液されたときの時間をとしてもよい。
【００３５】
基準時間には、例えば、後述する前洗浄（図４のＳ２参照。）で用いた透析用水としての清浄水（具体的には、ＲＯ（Reverse Osmosis）膜処理が施されたＲＯ水等）が洗消液に置換された時間、より具体的には、ＲＯ水の洗浄液への置換が完了した時間（以下、「置換完了時間」ともいう。）を用いてよい。ここで、「置換完了時間」は、例えば、センサ部３２により、当該透析装置３の配管部（不図示）に洗消液が注入されたことが検知された時間としてよい。なお、基準時間は、必ずしもＲＯ水の洗消液への置換が完了した時間に限られず、例えば、透析液供給装置２によって当該透析装置３への洗消液の送液が開始された時間としてもよい。透析装置３は、洗消時間推定情報が経過すると、ステータスを消毒終了状態に更新し、透析液供給装置２にステータスを通知している。
【００３６】
〔センサ部３２〕
センサ部３２は、透析装置３に送液された洗消液を検知する少なくとも１つのセンサを含んで構成される。一例として、センサ部３２には、例えば、配管部を流れる流体物の電導度を測定する電導度計３２０や、当該流体物の吸光度を測定する吸光度計３２１等が含まれる。センサ部３２は、透析装置３の配管部の所定の位置に設けられる。
【００３７】
〔透析装置３の制御部３０の各手段３００〜３０２〕
次に、透析装置３の制御部３０を構成する各手段３００〜３０２の詳細について説明する。受信手段３００は、透析装置３の通信部３５を制御して信号線１１を介して透析液供給装置２から送信された制御信号等の情報を受信する。
【００３８】
送信手段３０１は、透析液供給装置２に対し、信号線１１を介して透析装置３の稼働状況を示す情報等の各種の情報を送信する。なお、「稼働状況を示す情報」には、例えば、洗消工程が完了したことを示す情報やその時間（すなわち、洗消完了時間情報２１２）等の情報が含まれる。検知手段３０２は、センサ部３２を制御して、配管部のＲＯ水が洗消液に置換されたことを検知する。
【００３９】
（洗消工程）
図４は、洗消工程の一例を示すフローチャートである。図４に示すように、洗消工程は、透析液の供給が終了した後（Ｓ１）、透析装置３を前洗浄する工程（Ｓ２）、各透析装置３の配管部を洗浄及び消毒する洗消工程（Ｓ３）、及び透析装置３を後洗浄する工程（Ｓ４）を含む。
【００４０】
ここで、「透析液の供給の終了」とは、一患者に対する１回の治療（脱血、透析及び返血からなる一連の処置をいう。）が終了したことをいう。「前洗浄」とは、配管部にＲＯ水を注入して透析液の残留を洗い流すことをいう。
【００４１】
洗消工程では、各透析装置３に洗消液が送液され、透析装置３の洗浄及び消毒が行われる。洗消工程で複数の種類の洗消液が用いられる場合、一の洗消液から他の洗消液に切り替える間に、ＲＯ水により当該一の洗消液を洗い流す工程をさらに含んでもよい。
【００４２】
「後洗浄」とは、配管部にＲＯ水を注入して洗消液（複数の洗消液が用いられる場合は、最後に用いられた洗消液）の残留を洗い流すことをいう。
【００４３】
（血液浄化システム１の動作）
次に、第１の実施の形態に係る血液浄化システム１の動作の一例について説明する。以下の説明では、血液浄化システム１の動作を、（１）洗消工程時間を短縮した場合、及び（２）洗消工程時間を延長した場合、に分けてそれぞれ説明する。
【００４４】
（１）洗消工程時間を短縮する場合の動作
図５は、図１に示す血液浄化システム１の動作の一例を示すシーケンス図であり、（ａ）は、透析液供給装置２の動作の一例を示す図であり、（ｂ）は、複数の透析装置３のうち最も上流側に配置されている透析装置３（以下、特に他の透析装置３と区別して特定する場合は「最上流の透析装置３Ａ」ともいう。）の動作の一例を示し、（ｃ）は、複数の透析装置３のうち最も下流側に配置されている透析装置３（以下、特に他の透析装置３と区別して特定する場合は「最下流の透析装置３Ｚ」ともいう。）の動作の一例を示す。
【００４５】
ここで、「上流」とは、透析液供給装置２に近い側をいい、「下流」とは、透析液供給装置２に遠い側をいう。なお、「最上流」とは、必ずしも、複数の透析装置３の中で透析液供給装置２との距離が最小となっているものに限られず、複数の透析装置３の中で最初に洗消工程が開始又は完了するものを含めるものとする。「最下流」についても、同様に、複数の透析装置３の中で最後に洗消工程が開始又は完了するものを含めるものとする。
【００４６】
また、以下の説明では、横軸の時間軸において、血液浄化システム１における洗消工程が開始された時間を「ｔｓ」、最上流の透析装置３Ａの洗消工程が完了した時間を「ｔＡ」、最下流の透析装置３Ｚの洗消工程が完了した時間を「ｔＺ」とする。
【００４７】
ここで、血液浄化システム１における洗消工程が開始された時間ｔｓは、例えば、透析液供給装置２による洗消液の送液が開始された時間としてよい。また、最下流の透析装置３Ｚの洗消工程が完了した時間ｔＺは、血液浄化システム１全体の洗消工程が完了した時間でもある。
【００４８】
なお、比較例における透析液供給装置が洗消工程を完了する時間をｔｆとする（図９参照。）。この時間ｔｆは、透析液供給装置が透析装置３に対する洗消液の送液を終了する時間である。また、比較例における透析液供給装置には、洗消工程時間として、洗消液の送液が終了する時間ｔｆと洗消工程が開始された時間ｔｓとの差（ｔｆ−ｔｓ）に相当する時間が予め設定されている。本動作の説明では、比較例における透析液供給装置が洗消工程を完了する時間ｔｆは、最下流の透析装置３Ｚの洗消工程が実際に完了する時間ｔＺよりも後になるように設定されているものとする（すなわち、ｔＺ＜ｔｆ）。
【００４９】
図５（ａ）に示すように、透析液供給装置２は、洗消工程時間情報２１１として予め設定された洗消工程時間に従い、当該透析液供給装置２に接続している複数の透析装置３に対して洗消液の送液を行う（図５（ａ）の破線両矢印参照。）。ここで、本実施の形態に係る透析液供給装置２に予め設定された洗消工程時間は、最下流の透析装置３Ｚの洗消工程が実際に完了する時間ｔＺと最上流側の透析装置３Ａの洗消工程が完了した時間をｔＡとの差（ｔＺ−ｔｓ）に相当する時間としてよい。洗消工程時間の具体例については、後述する（図７参照。）。
【００５０】
洗消液は、設定された洗消工程時間（ｔＺ−ｔｓ）の間、上流側から下流側に向かって供給され続ける。そして、透析液供給装置２から供給された洗消液は、上流側の透析装置３から下流側の透析装置３に順に取り込まれる。すなわち、洗消液は、まず、最上流の透析装置３Ａに取り込まれ、次に、下流側の透析装置３に順に取り込まれ、最後は、最下流の透析装置３Ｚに取り込まれる。
【００５１】
なお、透析液供給装置２が洗消液の送液を開始してから洗消液が各透析装置３に取り込まれるまでの時間は、例えば、透析液供給装置２と当該各透析装置３との間の供給ライン１０の距離や、洗消液の送液の速度（すなわち、単位時間の洗消液の送液量）等によって決まる。
【００５２】
透析装置３は、洗消液を取り込むと洗消工程を開始する。本実施の形態に係る血液浄化システム１の構成では、まず、最上流の透析装置３Ａで洗浄・消毒（洗消工程）が開始され、順に、下流側の透析装置３で洗消工程が開始され、最後に、最下流の透析装置で洗消工程が開始される。
【００５３】
また、各透析装置３において、洗消工程の開始から予め定められた時間が経過すると、洗消工程を完了する。ここで、予め定められた時間は、例えば、上述した洗消時間推定情報３１０として記録された時間である。本実施の形態に係る血液浄化システム１の構成では、図５（ｂ）に示すように、まず、最上流の透析装置３Ａでの洗消工程が完了する（「ｔＡ」参照。）。次に、下流側の透析装置３での洗消工程が順に完了する。最後に、最下流の透析装置３Ｚでの洗消工程が完了する（「ｔＺ」参照。）。
【００５４】
最下流の透析装置３Ｚにおける洗消工程が完了したとき（「ｔＺ」参照。）、透析液供給装置２に予め設定された洗消工程時間（すなわち、（ｔＺ−ｔｓ））が経過し、透析液供給装置２による洗消液の送液が完了するようになっている。
【００５５】
以上のように、予め定められた適切な洗消工程時間を透析液供給装置２に設定しておき、透析液供給装置２がこの適切な洗消工程時間に従って洗消液の送液を停止することにより、比較例に対して、透析液供給装置２による洗消液の送液時間を短縮することができる。このようにすれば、当該透析液供給装置２に接続されている全ての透析装置３において洗消工程が終了した後に洗消液を送液し続けてしまうことによる洗消液の無駄な消費を抑制し洗消液の消費量を削減することができる。
【００５６】
（２）洗消工程時間を延長する場合の動作
図６は、図１に示す血液浄化システム１の動作の一例を示すシーケンス図であり、（ａ）は、透析液供給装置２の動作の一例を示す図であり、（ｂ）は、複数の透析装置３のうちいずれかの透析装置３（以下、特に他の透析装置３と区別して特定する場合は「いずれかの透析装置３Ｎ」ともいう。）の動作の一例を示す図である。本動作の説明では、比較例における透析液供給装置が洗消工程を完了する時間ｔｆは、当該いずれかの透析装置３Ｎの洗消工程が実際に完了する時間ｔＮよりも前になるように設定されているものとする（すなわち、ｔｆ＜ｔＮ）。
【００５７】
以下、図６（ｂ）に示すように、いずれかの透析装置３Ｎにおいて、洗消工程中に何らかの原因によって透析装置３が一時的に動作しなくなった場合を例に挙げて説明する。図６（ｂ）では、透析装置３が一時的に動作しなくなった場合の一例として、ある時間ｔ１に透析装置３の配管部が停止し、その後ｔ２に当該配管部の動作が再開した場合を例に挙げて説明する。
【００５８】
図６（ａ）に示すように、透析液供給装置２は、記憶部２１に洗消工程時間情報２１１として設定された洗消工程時間に応じて、当該透析液供給装置２に接続している複数の透析装置３に洗消液の送液を行う（図６（ａ）の破線両矢印参照。）。
【００５９】
ここで、洗消工程時間は、（ｔＮ−ｔｓ）に相当する時間としてよい。なお、洗消工程時間（ｔＮ−ｔｓ）は、洗消工程が中断した時間（ｔ２−ｔ１）に応じて定めてよい。洗消工程時間を上記の値に設定することによって、いずれかの透析装置３Ｎで洗消工程が一時的に中断した場合であっても、透析液供給装置２は、当該いずれかの透析装置３Ｎでの洗消工程が終了するまで（「ｔＮ」参照。）、洗消液の送液を継続することができる。
【００６０】
このようにすれば、いずれかの透析装置３Ｎで洗消工程が一時的に中断し、かつ、中断した時間（ｔ２−ｔ１）が一定の長さ以上となって、比較例において、洗消液の送液が完了する時間ｔｆまでに洗消工程が完了しない場合であっても、洗消及び消毒が不十分な状態のままにせず、再開した洗消工程を最後まで実行し完了させることができる。
【００６１】
また、洗消工程時間は、必ずしも固定値に限られず、洗消工程中に変更可能な変動値であってもよい。具体的には、例えば、透析装置３が動作しなくなったとき（例えば、配管部の停止が検知されたとき）に、比較例において予め設定された値（例えば、（ｔｆ−ｔｓ））から上記の中断した時間を考慮した時間（例えば、（ｔＮ−ｔｓ））に変更してもよい。
【００６２】
（表示画面）
図７は、洗消記録画面の一例を示す図である。上述したように、洗消記録画面５は、各透析装置３から透析液供給装置２に送信された洗消完了時間情報２１２に応じて作成され、表示制御手段２０４によって透析液供給装置２の操作表示部２４に表示するよう制御される。
【００６３】
図７に示すように、洗消記録画面５には、例えば、以下の情報が含まれる。洗消記録画面５に含まれる情報を以下の表１にまとめる。
【００６４】
【表１】
2020192288.tif 000003
【００６５】
洗消記録画面５は、予め透析液供給装置２に設定すべき適切な洗消工程時間を表示する。この適切な洗消工程時間は、複数の透析装置３のそれぞれの洗消完了時間（特に、最後の洗消完了時間）から求められる。ユーザは、洗消記録画面５に表示される情報を参照して、適切な洗消工程時間を予め透析液供給装置２に設定することができる。例えば、図７に示す例では、ユーザは、透析液供給装置２に、適切な洗消工程時間として洗消完了時間欄５３に表示された「７０分」とのパラメータを予め設定してよい。「適切な洗消工程時間」は、洗消工程時間の候補値の一例である。
【００６６】
［第２の実施の形態］
次に、本発明の第２の実施の形態に係る血液浄化システム１について、説明する。図８は、本発明の第２の実施の形態に係る血液浄化システム１の一例を示す概略構成図である。第２の実施の形態に係る血液浄化システム１は、溶解装置６及び水処理装置７をさらに備える点で、第１の実施の形態に係る血液浄化システム１と相違する。以下、第１の実施の形態と異なる点を中心に説明する。
【００６７】
血液浄化システム１は、第１の実施の形態に係る血液浄化システム１の構成に加えて、透析液供給装置２と供給ライン１０を介して接続する溶解装置６及び水処理装置７をさらに備える。また、これら溶解装置６及び水処理装置７は、信号線１１を介して、透析液供給装置２と通信可能に構成されている。
【００６８】
溶解装置６は、透析剤とＲＯ水とを混合して透析液の原液を生成する。水処理装置７は、内部に濾過膜等を内在した濾過部（不図示）を備え、原水を濾過してＲＯ水を生成する。これら溶解装置６及び水処理装置７は、透析液供給装置２の制御により、透析装置３と同じタイミングで洗消工程が行われるように構成されている。
【００６９】
本実施の形態では、ユーザが設定する作業を行わなくても、透析液供給装置２による洗消液の送液時間が変更されるようになっている。具体的には、透析液供給装置２の制御部２０は、記憶部２１に記憶された洗消完了時間情報２１２に応じて、洗消工程時間情報２１１を更新する。透析液供給装置２は、更新された最新の洗消工程時間情報２１１に応じて送液を継続する。
【００７０】
以上のようにすれば、透析液供給装置２は、透析装置３、溶解装置６及び水処理装置７に対し、適切な洗消工程時間で洗消液を送液することができるため、洗浄及び消毒が不足の状態で洗消工程を完了することなく、かつ、洗消液の無駄な消費を抑えることができる。
【００７１】
（変形例）
透析液供給装置２は、洗消工程時間情報２１１によらず、最後の洗消工程が完了したときに洗消液の送液を停止するようにしてもよい。具体的には、透析液供給装置２の受信手段２００が最後の洗消工程に係る透析装置３から洗消工程が完了したことを示す情報を受信したときに、洗消液の送液を停止するよう制御してもよい。以上のようにしても、透析液供給装置２が適切な洗消工程時間で洗消液を送液できるため、洗浄及び消毒が不足の状態で洗消工程を完了することなく、かつ、洗消液の無駄な消費を抑えることができる。
【００７２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【符号の説明】
【００７３】
１…血液浄化システム
１０…供給ライン
１１…信号線
２…透析液供給装置
２０…制御部
２００…受信手段
２０１…送信手段
２０２…弁制御手段
２０３…ポンプ制御手段
２０４…表示制御手段
２１…記憶部
２１０…システム構成情報
２１１…洗消工程時間情報
２１２…洗消完了時間情報
２２…調製部
２２０…給水弁
２２１…原液注入ポンプ
２２２…洗消液注入ポンプ
２３…送液部
２３０…貯槽
２３１…送液ポンプ
２４…操作表示部
２５…通信部
３，３Ａ，３Ｎ，３Ｚ…透析装置
３０…制御部
３００…受信手段
３０１…送信手段
３０２…検知手段
３１…記憶部
３１０…洗消時間推定情報
３２…センサ部
３２０…電導度計
３２１…吸光度計
３４…操作表示部
３５…通信部
４Ａ…原液タンク
４Ｂ…洗消液タンク
５…洗消記録画面
５１…開始時間欄
５２…工程欄
５３…洗消完了時間欄
５４…洗消完了判定欄
５５…薬液使用量欄
５６…テーブル
５６１…装置名称欄
５６２…送液開始時間欄
５６３…置換完了時間欄
５６４…第１のモニタデータ欄
５６５…洗消完了時間欄
５６６…第２のモニタデータ欄
５６７…合計液量欄
６…溶解装置
７…水処理装置
【図１】
2020192288.tif 000004
【図２】
2020192288.tif 000005
【図３】
2020192288.tif 000006
【図４】
2020192288.tif 000007
【図５】
2020192288.tif 000008
【図６】
2020192288.tif 000009
【図７】
2020192288.tif 000010
【図８】
2020192288.tif 000011